(57)【要約】【課題】筺体に沿ってスライドしたときに、ホスト装置のケージとの係合を解除するよう、側方の突起によってケージの係合片を外側に押し出すスライド部材の先端部分が、係合解除動作されていない状態において筺体から浮くことがない光トランシーバの提供。【解決手段】光トランシーバ１は、筺体に沿ってスライドしたときに、ホスト装置のケージの係合片との係合を解除するよう、側方の突起によって係合片を外側に押し出すスライド部材７を有するものであって、スライド部材７が、係合片を押し出す方向と交差する下方向に突出する奥側凸部７３を有し、下筺体５が、奥側凸部７３を収容する奥側案内溝５２を有し、奥側案内溝５２により奥側凸部７３が筺体の外側方向に動くことを抑制する。【選択図】図５
2014153381.tif 000002
【特許請求の範囲】
【請求項１】
筺体に沿ってスライドしたときに、ホスト装置のケージの係合片との係合を解除するよう、側方の突起によって前記係合片を外側に押し出すスライド部材を有する光トランシーバであって、
前記スライド部材は、前記係合片を押し出す方向と交差する上または下方向に突出する凸部を有し、
前記筺体は、該凸部を収容する案内溝を有し、
前記案内溝により前記凸部が前記筺体の外側方向に動くことを抑制することを特徴とする光トランシーバ。
【請求項２】
前記筺体は、当該光トランシーバの動作を制御するための回路基板を挟んで上下に分割されており、前記案内溝は、上側又は下側の前記筺体に形成されていることを特徴とする請求項１に記載の光トランシーバ。
【発明の詳細な説明】
【技術分野】
【０００１】
本発明は、光通信用のホスト装置のケージに対して挿抜可能に取り付けられる光トランシーバに関する。
【背景技術】
【０００２】
光通信用の光トランシーバは、光ケーブルの光コネクタを介して信号光の送信及び受信を行うものである。光トランシーバには、ホスト装置のケージに対して挿抜可能とする機構、すなわちプラガブル機構を採用するものがあり、このプラガブル機構に関して様々なものが提案されている（例えば、特許文献１，２参照）。
【０００３】
図９は、特許文献１に開示の光トランシーバのプラガブル機構を説明するための斜視図である。図の光トランシーバ１００では、その側壁に設けられた凹所と、ホスト装置２００のケージ２０１の側面に形成された係合片２０２との係合により、ケージ２０１から抜き出せないようになっている。また、光トランシーバ１００は、上記係合を解除し、ケージ２０１から取り出すことができるようにするために、把持部材１０１とスライド部材１０２とを有する。
【０００４】
把持部材１０１は、ユーザが当該部材１０１を把持して光トランシーバ１００を手前に牽くためのものであり、光コネクタが装着される光レセプタクル１０３に取り付けられている。
スライド部材１０２は、把持部材１０１と連動して動くようになっていると共に、光トランシーバ１００の筐体の長手方向にスライド可能に該筐体に取り付けられている。また、スライド部材１０２は、把持部材１０１側と反対側の端部に、側方に延び出す突起１０４が形成されている。この突起１０４は、通常の状態においては、ケージ２０１の係合片２０２と係合する筐体側壁の凹所に収まり該側壁から突出しないようになっているが、スライド部材１０２が手前にスライドされると、外側に押し出されて上記側壁から突出するようになっている。
【０００５】
光トランシーバ１００がケージ２０１に装着された状態で、ユーザが把持部材１０１を用いて光トランシーバ１００を手前に牽くように操作すると、把持部材１０１と連動してスライド部材１０２が手前方向にスライドされ、突起１０４が外側に押し出される。これにより、ケージ２０１の係合片２０２が内側から押され、係合片２０２と光トランシーバ１００の筐体側壁との係合が解除され、光トランシーバ１００がケージ２０１から抜き出せるようになっている。
【先行技術文献】
【特許文献】
【０００６】
【特許文献１】米国特許出願公開第２００３／０１７１０１６号公報
【特許文献２】米国特許出願公開第２０１２／０１４８１９８号公報
【発明の概要】
【発明が解決しようとする課題】
【０００７】
しかしながら、特許文献１に開示の光トランシーバ、すなわち、図９の光トランシーバ１００では、把持部材１０１の部分に、光トランシーバ１００の幅方向への力が加わると、スライド部材１０２の突起１０４側の端部、すなわち先端部分が光トランシーバ１００の側壁から浮いてしまう。
【０００８】
このようにスライド部材１０２の先端部分が浮いた状態で、光トランシーバ１００をケージ２０１へ挿着しようとすると、スライド部材１０２がケージ２０１の内側に収まらず外側にきてしまう。このまま挿着が完了されてしまうと、把持部材１０１すなわちスライド部材２０２を手前に牽くよう操作しても、突起１０４でケージ２０１の係合片２０２を外側に押し出すことができず、光トランシーバ１００の側壁とケージ２０１の係合片２０２との係合が解除されないため、光トランシーバ１００をケージ２０１から取り外すことができない。特許文献２に開示の光トランシーバにおいても同様である。
【０００９】
本発明は、上述のごとき実情に鑑みてなされたもので、筐体に沿ってスライドしたときに、ホスト装置のケージとの係合を解除するよう、側方の突起によってケージの係合片を外側に押し出すスライド部材の先端部分が、係合解除動作されていない状態において筐体から浮くことがない光トランシーバを提供することをその目的とする。
【課題を解決するための手段】
【００１０】
本発明の光トランシーバは、筐体に沿ってスライドしたときに、ホスト装置のケージの係合片との係合を解除するよう、側方の突起によって係合片を外側に押し出すスライド部材を有するものであって、スライド部材が、係合片を押し出す方向と交差する上または下方向に突出する凸部を有し、筐体が、該凸部を収容する案内溝を有し、案内溝により凸部が筐体の外側方向に動くことを抑制することを特徴とする。
【００１１】
筐体が、光トランシーバの動作を制御するための回路基板を挟んで上下に分割されるものである場合、案内溝は、上側又は下側の上記筐体に形成される。
【発明の効果】
【００１２】
本発明によれば、スライド部材に、係合片を押し出す方向と交差する方向に突出する凸部を設け、筐体に、上記凸部を収容する案内溝を設け、該案内溝によりスライド部材の突起が外側に動くことを抑制するようにしたので、スライド部材の先端部分が、係合解除動作されていない状態において筐体から浮くのを防ぐことができる。
【図面の簡単な説明】
【００１３】
【図１】本発明の光トランシーバの一例の外観図である。
【図２】図１の光トランシーバの分解図である。
【図３】図１の光トランシーバのホスト装置のケージからの取り外し方を説明する図である。
【図４】図１の光トランシーバのホスト装置のケージからの取り外し方を説明する図である。
【図５】スライド部材の突起を含む先端部分に、光トランシーバの幅方向に押し出す力が働いたときの様子を説明する図である。
【図６】スライド部材の突起を含む先端部分に、光トランシーバの幅方向に押し出す力が働いたときの様子を説明する図である。
【図７】本発明の光トランシーバの他の例のスライド部材を示す図である。
【図８】本発明の光トランシーバの他の例を上筐体を示す図である。
【図９】従来の光トランシーバを説明する図である。
【発明を実施するための形態】
【００１４】
図１は、本発明の光トランシーバの一例の外観図である。
図１の光トランシーバ１は、光通信用のホスト装置に対して挿抜可能に取り付けられると共に信号光の送受信機能を有するプラガブル（活線挿抜型）光トランシーバである。
光トランシーバ１は、光電変換機能を有する光電変換部品と、多数の電子部品を実装した回路基板２とを筐体３で保護しており、筐体３は、回路基板２を挟んで上筐体４と下筐体５に分割される。上筐体４と下筐体５は、アルミもしくは亜鉛等の金属製か、または樹脂製である。
【００１５】
筐体３内の光電変換部品には、光信号を送信する光サブアセンブリ（ＴＯＳＡ：Transmitting Optical Sub-Assembly）と、光信号を受信する光サブアセンブリ（ＲＯＳＡ：Receiving Optical Sub-Assembly）とがあり、ＴＯＳＡ及びＲＯＳＡにはそれぞれ、光電変換素子である発光素子及び受光素子が搭載され、フレキシブルプリント回路基板等の接続部材を介して回路基板２と電気的に接続される。
ＴＯＳＡ及びＲＯＳＡのための電気信号処理、制御等は、回路基板２に実装された電子回路部品から成る電子回路で行われる。回路基板２の奥側端部は、光トランシーバ１をホスト装置に電気的に接続するためのコネクタ部が設けられており、筐体３から露出している。
【００１６】
また、光トランシーバ１は、樹脂製の把持部材６と、板金加工により成るスライド部材７とが一体となったプルタブ８を有する。例えば、把持部材６の樹脂成型の際に予め金型内にスライド部材７を挿入しインサート成型することにより、把持部材６とスライド部材７とは一体にすることができる。
【００１７】
光トランシーバ１の各部品の詳細について、図２を用いて説明する。図２は、図１の光トランシーバ１の分解図である。なお、図２では、発明の要旨と関わりがないため、筐体３の内部の部品については図示を省略している。
【００１８】
上筐体４は、図２に示すように、光通信用の光ケーブルの光コネクタが挿着される光レセプタクル４１を一端に有する。光コネクタが光レセプタクル４１に装着されることにより、該光コネクタの光ファイバとＴＯＳＡ内またはＲＯＳＡ内の光電変換素子とが光結合されるようになっている。
上筐体４の幅方向の側壁４２には、スライド部材７に対するスライド面４４と、スライド面４４より内側に凹みホスト装置のケージの係合片（図９の符号２０２参照）と係合する凹所４３と、スライド面４４から凹所４３へと連続するスロープ面４５とが形成されている。
【００１９】
下筐体５は、スライド部材７の後述の手前側凸部７２と奥側凸部７３とがそれぞれ収容される手前側案内溝５１と奥側案内溝５２とを側部に有し、また、ネジ９が挿入される孔５３を有する。
これら上筐体４と下筐体５とはネジ９により固定される。
把持部材６は、光トランシーバ１を手前に牽くためのものであり、手前に牽く際にユーザが把持する取手部６１を有する。
【００２０】
把持部材６と一体となり連結されているスライド部材７は、上筐体４の長手方向に沿ってスライドするものであり、把持部材６側と反対側の端部に、側方に延び出す突起７１が形成されている。また、スライド部材７は、通常状態において、突起７１を含む先端部分が上筐体４の側壁４２の凹所４３内に収まると共に突起７１が上筐体４より外側に突出することがないよう、上記先端部分の近傍に折り曲げ加工が施されている。この突起７１は、後述のようにホスト装置のケージの係合片（図９の符号２０２参照）を押し出すためのものである。
スライド部材７が、上筐体４のスライド面４４、凹所４３、スロープ面４５などから形成されるスライド部材収容部に嵌まることにより、スライド部材７及びスライド部材と一体となった把持部材６は筐体３に対して取り付けられる。
【００２１】
さらに、スライド部材７は、ホスト装置のケージの係合片（図９の符号２０２参照）を押し出す方向と交差する下方向、より具体的には、スライド部材７のスライド方向と交差する方向及び突起７１の突出方向と直行する下方向に突出する手前側凸部７２及び奥側凸部７３をそれぞれ手前側及び奥側に有する。
【００２２】
以上の各部材から成る光トランシーバ１のホスト装置のケージからの取り外し方を図３及び図４を用いて説明する。図３（Ａ）は取り外し操作によりスライド部材７がスライドする前の光トランシーバ１の部分拡大図、図３（Ｂ）は同スライド後の光トランシーバ１の部分拡大図である。図４（Ａ）は、下筐体５とスライド部材７のみを示した部分拡大図、図４（Ｂ）は、光トランシーバ１の光レセプタクル４１近傍の部分拡大断面図である。
【００２３】
光トランシーバ１では、ホスト装置のケージに取り付けられた状態において、すなわち、把持部材６を用いた取り外し操作によりスライド部材７がスライドする前の状態において、図３（Ａ）に示すように、突起７１を含む先端部分が上筐体４の側壁４２の凹所４３内に収まっており、また、突起７１が上筐体４より外側に突出していない。そして、ホスト装置のケージの係合片（図９の符号２０２参照）と上筐体４の凹所４３の後壁４３ａとが係合しており、光トランシーバ１がホスト装置のケージにラッチして固定されている。
【００２４】
ラッチされている光トランシーバ１を取り外すためにユーザが把持部材６を手前に牽き、スライド部材７が手前にスライドされると、該スライド部材７の突起７１を含む先端部分が、上筐体４の側壁４２のスロープ面４４（図２参照）上を摺動することにより、上記先端部分に外側に押し出す力が働く。その際、スライド部材７の先端部分の下側については、奥側凸部７３と奥側案内溝５２とにより、外側に押し出されるのは抑制されるのに対し、同先端部分の上側については外側に押し出されるため、図３（Ｂ）に示すように、該突起７１が上筐体４の外側に押し出される。これにより、ホスト装置のケージの係合片（図９の符号２０２参照）と上筐体４の凹所４３の後壁４３ａとの係合が解除される。
【００２５】
係合解除後に、さらにユーザが把持部材６を手前に牽くと、図４（Ａ）に示したスライド部材７の奥側凸部７３の前部７３ａが下筐体５の奥側案内溝５２の前壁５２ａと当接し、図４（Ｂ）に示したスライド部材７の手前側凸部７２の前部７２ａが下筐体５の手前側案内溝５１の前壁５１ａと当接する。当接後にさらにユーザが把持部材６を手前に牽くと、光トランシーバ１はホスト装置のケージから取り出される。
【００２６】
以上のような光トランシーバ１に対して、光レセプタクル４１の部分に光トランシーバ１の幅方向への力が加わる等して、スライド部材７の突起７１を含む先端部分に上記幅方向に押し出す力が働いたときの様子を図５及び図６を用いて説明する。図５（Ａ）は、光トランシーバ１のスライド部材７の先端部分近傍の部分拡大斜視図、図５（Ｂ）は同先端部分近傍を断面とした部分拡大斜視図、図６は下筐体５の部分拡大上面図である。
【００２７】
光トランシーバ１では、スライド部材７の突起７１を含む先端部分に、光トランシーバ１の幅方向に押し出す力が働くと、図５及び図６に示すようにスライド部材７の奥側凸部７３の外側面７３ｂが、下筐体５の奥側案内溝５２の内側面５２ｂに当接する。したがって、スライド部材７の突起７１が通常状態において外側に動くことがなく、すなわち、スライド部材７の先端部分が、係合解除動作のとき以外、筐体３から浮くことがない。そのため、光トランシーバ１をホスト装置のケージに確実に着脱することができる。
【００２８】
本発明の光トランシーバの他の例について図７及び図８を用いて説明する。図７は、本発明の光トランシーバの他の例のスライド部材の部分拡大斜視図、図８は、同例の上筐体を裏側すなわち下側から見た様子を示す部分拡大斜視図である。なお、図１の光トランシーバ１と同様の部分については同じ符号を付しその説明を省略する。
【００２９】
本例の光トランシーバにおいて、図１の光トランシーバ１は異なり、図７に示すように、スライド部材７´は、ホスト装置のケージの係合片（図９の符号２０２参照）を押し出す方向と交差する上方向、より具体的には、該スライド部材７´のスライド方向及び突起７１の突出方向と直行する上方向に突出する奥側凸部７３´を奥側に有する。
【００３０】
本例の光トランシーバにおいても、その筐体は図８の上筐体４´と下筐体（図示省略）から成るが、それぞれの構造が図１の光トランシーバ１のものと異なる。具体的には、図８の上筐体４´の奥側に、スライド部材７´の上側に設けられている奥側凸部７３´が収容される案内溝４６が形成されている。また、図１の光トランシーバ１の上筐体４のスライド面４４、凹所４３、スロープ面４５の一部が下筐体に移動した形態になっている。すなわち、図１の光トランシーバ１の上筐体４のスライド面４４に相当するものが、上筐体４´の側壁４２´の分割スライド面４４´と下筐体の側壁の分割スライド面とにより構成され、図１の光トランシーバ１の凹所４３に相当するものが、上筐体４´の側壁４２´の分割凹所４３´と下筐体の側壁の分割凹所とにより構成され、図１の光トランシーバ１のスロープ面４５に相当するものが、上筐体４´の側壁４２´の分割スロープ面４５´と下筐体の側壁の分割スロープ面とにより構成されている。
【００３１】
上述のように図１の光トランシーバ１の上筐体４のスライド面４４、凹所４３、スロープ面４５の一部を下筐体に移動したのは、上筐体にスライド部材の奥側凸部を収容する案内溝をダイカストや樹脂の成型により形成するには、金型を上下に分割する必要があるが、単純に光トランシーバ１の上筐体４に上記案内溝を設けるだけでは金型を上下に分割することができない。なお、図１の光トランシーバ１の上筐体４の成型に用いられる金型は、光トランシーバ１の幅方向に左右に分割される。
【００３２】
本例の光トランシーバでは、スライド部材７´の突起７１´を含む先端部分に、光トランシーバの幅方向に押し出す力が働くと、スライド部材７´の奥側凸部７３´の外側面７３ｂ´が、上筐体４´の案内溝４６の内側面４６ａに当接する。したがって、スライド部材７´の突起７１´が外側に動くことがなく、すなわち、スライド部材７´の先端部分が、係合解除動作のとき以外、上筐体４´及び下筐体から成る筐体から浮くことがない。そのため、この光トランシーバをホスト装置のケージに確実に着脱することができる。
【符号の説明】
【００３３】
１…光トランシーバ、２…回路基板、３…筐体、４…上筐体、５，５’…下筐体、６…把持部材、７，７’…スライド部材、８…プルタブ、９…ネジ、４１…光レセプタクル、４２…側壁、４３…凹所、４３’…分割凹所、４３ａ…後壁、４４…スライド面、４４’…分割スライド面、４５…スロープ面、４５’…分割スロープ面、４６…案内溝、４６ａ…内側面、５１…手前側案内溝、５１ａ…前壁、５２…奥側案内溝、５２ａ…前壁、５２ｂ…内側面、５３…孔、６１…取手部、７１…突起、７２…手前側凸部、７２ａ…前部、７３，７３’…奥側凸部、７３ａ…前部、７３ｂ，７３ｂ’…外側面。
【図１】
2014153381.tif 000003
【図２】
2014153381.tif 000004
【図３】
2014153381.tif 000005
【図４】
2014153381.tif 000006
【図５】
2014153381.tif 000007
【図６】
2014153381.tif 000008
【図７】
2014153381.tif 000009
【図８】
2014153381.tif 000010
【図９】
2014153381.tif 000011